(57)【要約】【課題】容器の装着状態が不安定になることなく、確実に容器の装着状態を検出する。【解決手段】駆動手段を備えた本体５０と、本体５０に載置される第１容器１１、該第１容器１１内に装着された第１調製部材２５、および、第１容器１１を覆い本体５０に着脱可能に係止するカバー３５を有する第１調製ユニット１０Ａと、本体５０に載置される第２容器４６、および、該第２容器４６内に装着された第２調製部材４９を有する第２調製ユニット１０Ｂと、本体５０に設けられ、スプリング６４によって上向きに付勢された動作部６２を下降させることにより第１容器１１および第２容器４６の装着状態を検出し、いずれの容器も未装着状態である場合には駆動手段を動作できないようにする１つの検出手段とを備え、本体５０に、第１容器１１に当接する一方、第２容器４６に当接しない位置に、第１容器１１を持ち上げる持上手段を設ける。【選択図】  図５
2004337524.tif 000002
【特許請求の範囲】
【請求項１】
食材をジュースとカスとに分離したり撹拌するなどの調製を行うための食材調製器において、
駆動手段を備えた本体と、
前記本体に載置される第１容器、該第１容器内に装着された第１調製部材、および、前記第１容器を覆い前記本体に着脱可能に係止するカバーを有する第１調製ユニットと、
前記本体に載置される第２容器、および、該第２容器内に装着された第２調製部材を有する第２調製ユニットと、
前記本体に設けられ、スプリングによって上向きに付勢された動作部を下降させることにより前記第１容器および第２容器の装着状態を検出し、いずれの容器も未装着状態である場合には前記駆動手段を動作できないようにする１つの検出手段とを備え、
前記本体に、前記第１容器に当接する一方、前記第２容器に当接しない位置に、前記第１容器を持ち上げる持上手段を設けたことを特徴とする食材調製器。
【請求項２】
前記持上手段は、前記駆動手段の出力軸と前記検出手段の動作部とを結ぶ直線上または延長線上に位置することを特徴とする請求項１に記載の食材調製器。
【発明の詳細な説明】
【０００１】
【発明の属する技術分野】
本発明は、果物や野菜などの食材をジュースとカスとに分離したり、撹拌するなどの調製を行うための食材調製器に関するものである。
【０００２】
【従来の技術】
この種の食材調製器は、駆動手段を備えた本体と、該本体に着脱可能に装着される容器、および、該容器内に配置される調製部材からなる調製ユニットとを備えている。
【０００３】
そして、食材をジュースとカスとに分離するジューサーとして使用する場合には、第１の調製ユニットとして、内部を環状の仕切壁によってジュース案内部とカス受部とに区画した第１容器と、カッターとフィルターとを備えた第１調製部材とを使用する。前記第１容器にはジュース案内部と連通する注出口が設けられており、この注出口にジュース容器を配設する。
【０００４】
一方、種々の食材を混合するミキサーとして使用する場合には、第２の調製ユニットとして、上端開口を閉塞する蓋体を備え、また、その底に第２調製部材として回転可能なカッターを配設した第２容器を使用する。
【０００５】
なお、本発明の食材調製器に関連する先行技術文献情報としては次のものがある。
【０００６】
【特許文献１】
実開平６−５８８３２号公報
【０００７】
特許文献１では、背部に配設した規制板によって操作スイッチの操作の可否を変更可能とした安全スイッチ機構を設けるとともに、本体への容器の装着に連動して前記規制板を動作させるレバーを設け、本体にいずれの容器も装着されていない状態では、前記操作スイッチを操作できないようにすることにより、駆動手段が動作しない構成としている。
【０００８】
【発明が解決しようとする課題】
しかしながら、前記食材調製器では、ユーザが調製動作の実行中に容器を取り外すという誤使用をした場合に迅速に調製動作を停止する必要がある。そのため、レバーを介して規制板を動作させるための動作部は、非動作位置に保持するための付勢力を大きくする必要がある。その結果、特に、ミキサーとして使用する第２容器を装着した場合には、前記動作部による第２容器の押圧力により、装着状態が不安定になるという問題がある。
【０００９】
そこで、本発明では、容器の装着状態が不安定になることなく、確実に容器の装着状態を検出できる食材調製器を提供することを課題とするものである。
【００１０】
【課題を解決するための手段】
前記課題を解決するため、本発明の食材調製器は、食材をジュースとカスとに分離したり撹拌するなどの調製を行うための食材調製器において、駆動手段を備えた本体と、前記本体に載置される第１容器、該第１容器内に装着された第１調製部材、および、前記第１容器を覆い前記本体に着脱可能に係止するカバーを有する第１調製ユニットと、前記本体に載置される第２容器、および、該第２容器内に装着された第２調製部材を有する第２調製ユニットと、前記本体に設けられ、スプリングによって上向きに付勢された動作部を下降させることにより前記第１容器および第２容器の装着状態を検出し、いずれの容器も未装着状態である場合には前記駆動手段を動作できないようにする１つの検出手段とを備え、前記本体に、前記第１容器に当接する一方、前記第２容器に当接しない位置に、前記第１容器を持ち上げる持上手段を設けた構成としている。
【００１１】
この食材調製器によれば、第１の調製ユニットを使用する場合には、その第１容器は、カバーの未装着状態では持上動作部により持ち上げられ、検出手段の動作部の上昇位置を維持させ、カバーの装着状態では該カバーの押圧により、前記持上動作部および検出手段の動作部を下降させる。一方、第２の調製ユニットを使用する場合には、その第２容器は、持上動作部には持ち上げられず、検出手段の動作部のみを自重により下降させる。そのため、前記検出手段の動作部を上向きに付勢するスプリングは、そのバネ力を弱く設定することができる。そのため、第２の調製ユニットを使用する場合に装着状態が不安定になることを確実に防止することができる。
【００１２】
この食材調製器では、前記持上手段は、前記駆動手段の出力軸と前記検出手段の動作部とを結ぶ直線上または延長線上に位置することが好ましい。このようにすれば、第１の調製ユニットを使用している際に、ユーザが誤使用により動作中にカバーを取り外した場合、持上動作部により第１容器が持ち上げられることにより、検出手段によって迅速に未装着状態を検出し、駆動手段を停止することができる。
【００１３】
【発明の実施の形態】
以下、本発明の実施の形態を図面に従って説明する。
図１から図１１は、本発明の実施形態に係る食材調製器を示す。この食材調製器は、図１および図２に示すように、大略、本体５０と、該本体５０に着脱可能に装着される２種類の調製ユニット１０Ａ，１０Ｂとからなる。まず、この２種の調製ユニット１０Ａ，１０Ｂについて説明する。
【００１４】
本実施形態の第１の調製ユニット１０Ａは、投入された食材をジュースとカスとに分離するジューサーとして使用するもので、第２の調製ユニット１０Ｂは、投入された食材を撹拌して混合するミキサーとして使用するものである。
【００１５】
第１の調製ユニット１０Ａは、内部が区画された第１容器１１と、該第１容器１１内に着脱可能に配設される第１調製部材２５と、前記第１容器１１に着脱可能に取り付けられる第１蓋体３０と、食材押込部材４１と、ジュース容器４３とからなる。
【００１６】
前記第１容器１１は、本体５０の上部に載置され、その内部を仕切壁２２によって内側のジュース案内部１２と外側のカス受部１３とに区画したものである。具体的には、図１および図３に示すように、第１容器１１は、断面略Ｊ字形状の筒状部材からなる容器本体１４と、該容器本体１４の内部に着脱可能に装着される断面略Ｌ字形状の筒状部材からなる別体の仕切壁２２とからなる。
【００１７】
前記容器本体１４は、円筒状をなす外壁１５の下端に、下向きに傾斜する底壁１６を一体に設けたものである。この底壁１６の中央には、後述する本体５０の装着部材５２を挿通する筒部１７が設けられている。図４に示すように、この筒部１７の下端縁は、第１容器１１の装着状態を検出するための動作部６２を押圧するために、その一部を外向きに膨出させて第１押圧部１８が設けられている。また、この筒部１７の外側には、本体５０の持上動作部７０を押圧するために第２押圧部１９が突設されている。前記底壁１６において、最下端に位置する正面側端部には、注出孔２０が設けられるとともに、その周囲から下向きに突出する注出ノズル部２１が設けられている。前記仕切壁２２は、第１容器１１の内壁を構成する円筒部２３の下端に、外向きに突出するフランジ部２４を一体に設けた断面Ｌ字形状のものである。これら容器本体１４と仕切壁２２には着脱可能に係止するロック部が設けられている。
【００１８】
前記第１調製部材２５は、前記第１容器１１における仕切壁２２内に配置し、本体５０内のモータ５１の出力軸５１ａに装着部材５２を介して着脱可能に装着されるものである。この第１調製部材２５は、装着部材５２に装着するための第１装着用台座部２６と、該第１装着用台座部２６の上面に配設したカッター２７と、前記第１装着用台座部２６の周囲から逆円錐台形筒状に突出するフィルター２８と、該フィルター２８の上端縁に装着した安全カバー２９とからなる。前記カッター２７は金属製であり、所定間隔をもって放射状に突出する刃部を備えている。前記フィルター２８は金属製であり、所定間隔をもって穿設した多数の通孔を備えている。
【００１９】
前記第１蓋体３０は、透明なＡＳ樹脂からなる内蓋３１と、不透明なＡＢＳ樹脂からなるカバー３５とからなる。
【００２０】
前記内蓋３１は、前記第１容器１１の上端開口を閉塞する上向きに膨出した皿形状のもので、その正面側には、上向きに突出する平面視円弧状の窓部３２が形成されている。また、この内蓋３１には、その略中央に前記第１調製部材２５の内部から外部にかけて延びる筒状の食材投入通路３３が形成されている。この食材投入通路３３の背面側上端には、背面視で略逆三角形状をなす位置決め凹部３４が内向きに窪むように設けられている。
【００２１】
前記カバー３５は、内蓋３１と第１容器１１とを全周囲にかけて覆う略凸形状をなす筒状のもので、その前後方向の中央には本体５０に係止するための受部３６が両側外向きに突出するように設けられている。この受部３６は、外向きに膨出させた内部に係止用の平板部を設けたものである。また、カバー３５の内周部には、受部３６の両側に位置するように、前記スライダ５９に当接するリブ３７が設けられている。このカバー３５には、前記内蓋３１の窓部３２に対応する開口部３８が設けられ、この開口部３８から前記窓部３２を介して内部を透視できるように構成されている。また、カバー３５には、前記食材投入通路３３における外部に露出した上側部分を覆う円筒形状の被覆部３９が設けられている。この被覆部３９には、前記位置決め凹部３４に嵌る背面視で逆三角形状の位置決め凸部４０が設けられている。
【００２２】
前記食材押込部材４１は、図１に示すように、前記食材投入通路３３の断面形状と同一形状をなし、その上部に前記被覆部３９を覆う大きさの操作部４２を設けたものである。
【００２３】
前記ジュース容器４３は、上端開口を閉塞する蓋４４を備え、本体５０の受台部５３に着脱可能に装着されるものである。前記蓋４４には、本体５０に装着した第１容器１１における注出ノズル部２１に対応する流入口４５が設けられている。
【００２４】
第２の調製ユニット１０Ｂは、図２に示すように、第２容器４６と、該第２容器４６の上端開口を閉塞する第２蓋体４７とからなる。
【００２５】
前記第２容器４６は、全高が高い円筒状の透明容器の下端に、装着部材５２に装着するための第２装着用台座部４８を設けたものである。この第２装着用台座部４８には、投入された食材を切削するとともに混合する略Ｖ字形状の金属製カッターからなる第２調製部材４９が回転可能に装着されている。また、この第２装着用台座部４８の下端縁は、第２容器４６を装着した状態を検出するための動作部６２を押圧する押圧部を構成する。
【００２６】
前記本体５０は、図１から図５（Ａ），（Ｂ）に示すように、外装体の内部に駆動手段として、負荷が無い状態で１８０００ｒｐｍの回転が可能なモータ５１を配設したものである。このモータ５１は、その出力軸５１ａが本体５０の上端から突出され、その突出部に後述する調製ユニット１０Ａ，１０Ｂの調製部材２５，４９を着脱可能に装着するための装着部材５２が取り付けられている。また、本体５０の正面下部には、第１の調製ユニット１０Ａを使用する際にジュース容器４３を載置する受台部５３が設けられている。
【００２７】
前記本体５０の上部には、その外周部の対向位置に第１の調製ユニット１０Ａにおけるカバー３５の係止機構として一対のフック部材５４が設けられている。これらフック部材５４は、図６（Ａ），（Ｂ）に示すように、本体５０に設けた凹部５５において、水平方向である本体５０の軸心に向けて移動可能に配設されるとともに、第１スプリング５６によって常に外向きに付勢されている。このフック部材５４の上端には、前記カバー３５の受部３６に係止する係止部５７が設けられている。また、フック部材５４において、本体５０から外方に突出した部分は操作部５４ａを構成する。
【００２８】
また、本体５０の上部には、前記フック部材５４の係止部５７の周囲を覆う収容部５８が設けられている。図７（Ａ），（Ｂ）に示すように、この収容部５８には、前記係止部５７の三方を囲繞するように略コ字形状としたスライダ５９が水平方向である本体５０の軸心に向けて移動可能に配設されるとともに、第２スプリング６０によって常に外向きに付勢されている。このスライダ５９は、前記係止部５７と受部３６との係止が解除されると、前記第２スプリング６０の付勢力により外向きに移動し、カバー３５を持ち上げることにより、フック部材５４が第１スプリング５６の付勢力によって原状に戻っても、再び係止部５７と受部３６とが係止しないようにするもので、一対に突出する両側部先端が第１の調製ユニット１０におけるカバー３５のリブ３７に対応するとともに、その先端に傾斜面５９ａが設けられている。
【００２９】
本実施形態の本体５０には、機械式の検出手段を介して前記第１容器１１および第２容器４６のうち、いずれかの容器１１，４６の装着状態を検出しないと操作スイッチ６６Ａ，６６Ｂ，６６Ｃを操作できないようにする機械式の安全スイッチ機構が設けられている。また、第１容器１１が装着されている場合に、該第１容器１１を持ち上げるための持上手段が設けられている。
【００３０】
具体的には、図５および図８に示すように、前記検出手段としては、前記本体５０上面に略円筒状をなし容器１１，４６の下端縁と対応する溝を備えたガイド凸部６１が設けられ、このガイド凸部６１内に突出するように、容器１１，４６の装着状態を検出するための動作部６２が設けられている。この動作部６２の下端には、回動可能に軸着したレバー６３が接続され、このレバー６３を介して動作部６２が第３スプリング６４によって上昇位置を維持するように上向きに付勢されている。
【００３１】
前記安全スイッチ機構は、図９（Ａ），（Ｂ）に示すように、矩形状の基枠６５に対して、長手方向に所定間隔をもって操作スイッチ６６Ａ，６６Ｂ，６６Ｃのアーム６７を移動可能に配設するとともに、規制板６８を長手方向に延びるように移動可能に配設したものである。前記アーム６７は、略中央に幅方向に延びる干渉部６７ａを突設した略十字形状のものである。前記規制板６８は、第４スプリング６９によって上向きに付勢され、その上端部６８ａが前記基枠６５を貫通して前記レバー６３の先端下部に位置されるものである。この規制板６８には、前記アーム６７と対応する位置に２つの段部からなる規制溝６８ｂが設けられている。なお、操作スイッチ６６Ａは調製ユニット１０Ａ，１０Ｂを洗浄するためのクリーニングスイッチであり、操作スイッチ６６Ｂは調製部材２５，４９を所定回転数で回転させるための「入」スイッチであり、操作スイッチ６６Ｃは動作を停止するための「切」スイッチである。
【００３２】
前記持上手段は、本体５０の上部において、前記モータ５１の出力軸５１ａ（装着部材５２）と前記検出手段の動作部６２とを結ぶ直線の延長線上に位置する外側に配設した持上動作部７０と、該持上動作部７０を上向きに付勢する第５スプリング７１とからなる。この持上手段は、前記持上動作部７０の上端部が第１の調製ユニット１０の第１容器１１の底面に当接し、該第１容器１１を持ち上げることにより、前記検出手段の動作部６２を上昇位置として実質的に未装着状態となるようにするものである。
【００３３】
なお、前記検出手段の第３スプリング６４の付勢力Ｐ１、安全スイッチ機構の第４スプリング６９の付勢力Ｐ２、および、持上手段の第５スプリング７１の付勢力Ｐ３は、Ｐ２＜Ｐ１＜Ｐ３とされ、Ｐ１は、持上動作部７０によって持ち上げない第２の調製ユニット１０の第２容器４６を本体５０上に装着した際に、該第２容器４６に対して浮き上げる力を加えず、何の影響も及ぼさないバネ力としている。
【００３４】
なお、この本体５０の内部には、前記操作スイッチ６６Ａ〜６６Ｃの操作に基づいて前記モータ５１の駆動を制御する制御基板が配設されている。また、本実施形態では、モータ５１の出力軸５１ａの近傍に、該出力軸５１ａの回転数を検出するための回転数検出手段として第１磁気センサ７２が配設されるとともに、前記出力軸５１ａに第１磁石７３が配設されている。さらに、いずれの調製ユニット１０Ａ，１０Ｂの容器１１，４６が装着されているかを検出する容器検出手段として第２磁気センサ７４が配設されるとともに、第１の調製ユニット１０Ａの容器本体１４に第２磁石７５が配設されている。なお、第２の調製ユニット１０Ｂを構成する第２容器４６には、第２磁石７５は配設されていない。
【００３５】
このように構成した食材調製器は、制御基板に実装した制御手段であるマイコンによって調製部材２５，４９を所定回転数で動作させる。具体的には、マイコンは、操作スイッチ６６Ａが操作されると、第１磁気センサ７２を介してモータ５１の出力軸５１ａの回転数を検出しながら、調製ユニット１０Ａ，１０Ｂをクリーニングする際に必要な６０００ｒｐｍ（第１回転数）になるように、モータ５１への通電率を制御する。また、操作スイッチ６６Ｂが操作されると、第２磁気センサ７４を介して装着された容器１１，４６が第１容器１１であるか第２容器４６であるかを検出する。そして、磁気を検出することにより第１容器１１が装着されていると判断した場合、ジューサーとして使用する際に必要な１００００ｒｐｍ（第２回転数）になるように、モータ５１への通電率を制御する。また、磁気を検出しないことにより第２容器４６が装着されていると判断した場合には、ミキサーとして使用する際には１７５００ｒｐｍ（第３回転数）が必要であるため、モータ５１に対して常に１００％の通電率で動作を行う。
【００３６】
即ち、本実施形態では、クリーニング機能、および、２種の調製ユニット１０Ａ，１０Ｂのうち、動作に必要な回転数が高い方に合わせてモータ５１を選択し、その回転数が高い調製ユニット１０Ｂが装着されている場合にはフルパワーで動作を実行し、回転数が低い調製ユニット１０Ａが装着されている場合、および、クリーニング機能が選択されている場合には、その制御に必要な回転数となるように通電率を制御しながら動作を実行するように構成している。なお、各調製ユニット１０Ａ，１０Ｂに必要な回転数は、ＲＯＭなどの周知の記憶手段に予め記憶されている。
【００３７】
即ち、本実施形態では、接続機構を用いることなく、異なる回転数が必要な調製ユニット１０Ａ，１０Ｂを希望の回転数で動作させることができる。そのため、接続機構に係るコストを削減できるうえ、全体の小型化を図ることができる。また、いずれの調製ユニット１０Ａ，１０Ｂを使用する場合でも、ユーザは同一のスタートスイッチを操作するだけで希望の回転数で調製動作を開始させることができるため、操作性を向上することができる。
【００３８】
次に、前記検出手段および安全スイッチ機構の動作について説明する。
【００３９】
図８中、一点鎖線で示すように、検出手段の動作部６２が第３スプリング６４によって付勢されて上昇位置に位置する場合には、レバー６３の先端は下降した状態をなす。これにより、前記安全スイッチ機構における規制板６８の上端部６８ａは下向きに押圧され、該規制板６８を下向きに移動させる。その結果、図９（Ｃ）に示すように、規制溝６８ｂの深さが浅い上段部がアーム６７の干渉部６７ａにおける移動方向先端に位置する。そのため、操作スイッチ６６Ａ〜６６Ｃを操作してもアーム６７が移動することができず、調製動作を実行できない状態に維持することができる。
【００４０】
一方、図８中、実線で示すように、検出手段の動作部６２が第３スプリング６４の付勢力に抗して下降位置に位置する場合には、レバー６３の先端は上昇した状態をなす。これにより、安全スイッチ機構における規制板６８は、第４スプリング６９の付勢力によって上向きに移動する。その結果、図９（Ｂ）に示すように、規制溝６８ｂの深さが深い下段部がアーム６７の干渉部６７ａにおける移動方向先端に位置する。そのため、操作スイッチ６６Ａ〜６６Ｃを操作するとアーム６７が移動することができ、調製動作を実行可能な状態に維持することができる。
【００４１】
次に、前記食材調製器の使用方法について具体的に説明する。
【００４２】
まず、本体５０に第１の調製ユニット１０Ａを装着してジューサーとして使用する場合には、本体５０に対して第１容器１１を所定位置に載置するとともに、該第１容器１１に対して内蓋３１を装着する。この状態では、図１０（Ａ）に示すように、第１容器１１の第１押圧部１８が動作部６２に当接するとともに、第２押圧部１９が持上動作部７０に当接する。しかし、第２押圧部１９を介して第１容器１１は持上動作部７０により持ち上げられるため、検出手段の動作部６２は下降せず、安全スイッチ機構は動作できない状態を維持している。
【００４３】
その後、内蓋３１の上方から垂直に覆い被せるようにしてカバー３５を装着し、その受部３６を本体５０の係止部５７に係止する。この際には、内蓋３１に形成した位置決め凹部３４に対してカバー３５の位置決め凸部を位置決めすることにより、カバー３５の方向性を正規の装着方向にガイドしながら簡単かつ確実に装着することができる。また、カバー３５は、図６（Ａ）および図７（Ａ）に示すように、受部３６の縁がフック部材５４の係止部５７に当接するとともに、リブ３７がスライダ５９に当接した状態で、下向きに押圧することにより前記係止部５７およびスライダ５９を内向きに後退させ、係止部５７を受部３６に係止することができる。
【００４４】
このカバー３５の取付状態は、前記係止部５７と受部３６との係止により確実に維持される。また、スライダ５９は、カバー３５のリブ３７に当接することにより、第２スプリング６０の付勢力に抗して内向きに後退した状態を維持する。さらに、内蓋３１は、カバーの装着により第１容器１１とともに本体５０に向けて押圧される。そのため、図１０（Ｂ）に示すように、押圧部１８，１９に当接している検出手段の動作部６２および持上動作部７０が下降し、この状態が維持される。その結果、安全スイッチ機構は、各操作スイッチ６６Ａ，６６Ｂ，６６Ｃが操作可能な状態となる。
【００４５】
一方、使用後に容器や内蓋３１を洗浄する場合には、一対のフック部材５４の操作部５４ａを両側から内向きに挟むようにして押圧する。そうすると、図６（Ｂ）に示すように、フック部材５４が第１スプリング５６の付勢力に抗して水平方向にスライドし、係止部５７と受部３６との係止が解除される。
【００４６】
そうすると、第２スプリング６０の付勢力に抗して後退していたスライダ５９が外向きに移動し、傾斜面５９ａによってカバー３５のリブ３７を上向きに押し上げる。そのため、ユーザがフック部材５４の押圧操作を止めても係止部５７が受部３６に再び係止することはない。
【００４７】
また、前記係止部５７と受部３６との係止が解除されると、カバー３５による第１容器１１の押圧も解除される。その結果、第５スプリング７１の付勢力によって持上動作部７０が第１容器１１の第２押圧部１９を上向きに持ち上げる。これにより、第１容器１１の第１押圧部１８による検出手段の動作部６２の押圧が解除され、第３スプリング６４の付勢力によって動作部６２が上昇する。そのため、安全スイッチ機構の各操作スイッチ６６Ａ〜６６Ｃは再び操作できない状態となる。
【００４８】
ここで、この第１の調製ユニット１０Ａを使用して調製動作を実行している最中に、ユーザーが誤使用によりフック部材５４を操作してカバー３５を取り外した場合には、分解時と同様に係止部５７と受部３６との係止が解除され、カバー３５および第１容器１１が持ち上げられる。その結果、検出手段の動作部６２が上昇するため、安全スイッチ機構のスイッチ６６Ｂは、第４スプリング６９の付勢力によって操作状態が解除され、モータ５１を停止させる。そのため、安全性を確保することができる。
【００４９】
一方、第２の調製ユニット１０Ｂを装着してミキサーとして使用する場合には、本体５０に対して第２容器４６を所定位置に載置する。この状態では、図１１に示すように、第２容器４６の第２装着用台座部４８の下端縁が検出手段の動作部６２に当接し、該動作部６２を第２容器４６の自重で下降させる。また、持上動作部７０には何ら当接せず、上昇位置を維持する。
【００５０】
このように、本発明の食材調製器では、１つの検出手段により第１容器１１および第２容器４６の両方の装着状態を機械的に検出でき、未装着状態である場合にはモータ５１を動作できない状態とすることができる。そのため、部品点数の削減およびコストダウンを図ることができる。
【００５１】
また、第１の調製ユニット１０Ａの第１容器１１は、モータ５１の出力軸５１ａと検出手段の動作部６２とを結ぶ直線の延長線上に設けた持上動作部７０により、カバー３５の未装着状態では持ち上げられ、検出手段の動作部６２の上昇位置を維持させ、第２の調製ユニット１０Ｂの第２容器４６は、持上動作部７０とは何の関係も持たない状態である。即ち、前記第１容器１１には当接する一方、前記第２容器４６には当接しない位置に、持上動作部７０を設けているため、前記検出手段の動作部６２を上昇位置に維持するための第４スプリング６９は、そのバネ力を弱く設定することができる。そのため、第２の調製ユニット１０Ｂを使用する場合に装着状態が不安定になることを確実に防止することができる。
【００５２】
しかも、本実施形態の食材調製器は、容器検出手段によりいずれの容器１１，４６が装着されているかを判断し、モータ５１による回転数を自動的に変更するため、調製動作を実行させるためのスイッチは、いずれを使用する場合でも操作スイッチ６６Ｂのみである。そのため、ユーザが使用する際の利便性を向上することができる。
【００５３】
なお、本発明の食材調製器は、前記実施形態の構成に限定されるものではなく、種々の変更が可能である。
【００５４】
例えば、前記実施形態では、検出手段は、安全スイッチ機構を用いた機械式の構成としたが、マイクロスイッチなどの電気式のものでもよい。
【００５５】
また、持上動作部７０は、モータ５１の出力軸５１ａと検出手段の動作部６２とを結ぶ直線の延長線上に設けたが、直線上に設けてもよい。言い換えれば、持上動作部７０は、本体５０において、検出手段の動作部６２の直径方向外側に設けたが、直径方向内側に設けてもよい。しかも、必ずしも直径方向に対応する線上に設ける必要はなく、検出手段の動作部６２の近傍であればよい。
【００５６】
さらに、前記実施形態では、第１の調製ユニット１０Ａとしてジューサーを使用可能とし、第２の調製ユニット１０Ｂとしてミキサーを使用可能としたが、いずれかの代わりに、コーヒー豆などを破砕するミル、種々の食材を調理用として切断するフードプロセッサとして使用可能としてもよく、また、これら４種の調製ユニットを全て使用可能としてもよい。
【００５７】
【発明の効果】
以上の説明から明らかなように、本発明の食材調製器では、第１の調製ユニットを使用する場合には、その第１容器は、カバーの未装着状態では持上動作部により持ち上げられ、検出手段の動作部の上昇位置を維持させ、カバーの装着状態では該カバーの押圧により、前記持上動作部および検出手段の動作部を下降させる。一方、第２の調製ユニットを使用する場合には、その第２容器は、持上動作部には持ち上げられず、検出手段の動作部のみを自重により下降させる。そのため、前記検出手段の動作部を上向きに付勢するスプリングは、そのバネ力を弱く設定することができる。そのため、第２の調製ユニットを使用する場合に装着状態が不安定になることを確実に防止することができる。
【図面の簡単な説明】
【図１】第１調製ユニットを装着した本発明の実施形態に係る食材調製器を示す断面図である。
【図２】第２調製ユニットを装着した本発明の実施形態に係る食材調製器を示す断面図である。
【図３】第１調製ユニットの分解斜視図である。
【図４】第１容器の底を示す底面図である。
【図５】（Ａ）は本体の斜視図、（Ｂ）は（Ａ）の要部拡大図である。
【図６】（Ａ），（Ｂ）は本体の係止部とカバーの受部とを示す断面図である。
【図７】（Ａ），（Ｂ）は本体のスライダとカバーとを示す断面図である。
【図８】検出手段と安全スイッチ機構との関係を示す概略図である。
【図９】安全スイッチ機構を示し、（Ａ）は背面図、（Ｂ）側面図、（Ｃ）は動作状態を示す側面図である。
【図１０】（Ａ），（Ｂ）は第１調製ユニットを使用した際の検出手段と安全スイッチの動作を示す概略図である。
【図１１】第２調製ユニットを使用した際の検出手段と安全スイッチの動作を示す概略図である。
【符号の説明】
１０Ａ，１０Ｂ…調製ユニット      １１…第１容器
１８…第１押圧部                  １９…第２押圧部
２５…第１調製部材                ３０…第１蓋体
３１…内蓋                        ３５…カバー
３６…受部                        ４６…第２容器
４７…第２蓋体                    ４９…第２調製部材
５０…本体                        ５１…モータ（駆動手段）
５１ａ…出力軸                    ５２…装着部材
５４…フック部材                  ５７…係止部
５９…スライダ                    ６２…動作部
６４…第３スプリング              ６６Ａ〜６６Ｃ…操作スイッチ
７０…持上動作部                  ７１…第５スプリング
【図１】
2004337524.tif 000003
【図２】
2004337524.tif 000004
【図３】
2004337524.tif 000005
【図４】
2004337524.tif 000006
【図５】
2004337524.tif 000007
【図６】
2004337524.tif 000008
【図７】
2004337524.tif 000009
【図８】
2004337524.tif 000010
【図９】
2004337524.tif 000011
【図１０】
2004337524.tif 000012
【図１１】
2004337524.tif 000013